(57)【要約】【課題】  学童が普段から通学時に身につけているランドセルを利用して、突然刃物等の凶器を使った通り魔的な事件に巻き込まれた場合でも、確実に身を守ることができる手段を提供する。【解決手段】  ランドセル１における収納部２の上方開口部２ａを開閉する被せ蓋５またはそのカバーにより形成される防刃部材を備える。防刃部材を構成する被せ蓋５は、ランドセル１における背板８の上端部において伸縮自在の紐状部材９で連結することにより、ランドセル着用時に該被せ蓋（防刃部材）５を胴体前面側に旋回させて被着可能とする。【選択図】        図１
0003110735.tif 000002
【実用新案登録請求の範囲】
【請求項１】
ランドセルにおける収納部の上方開口部を開閉する被せ蓋またはそれに被着するカバーにより形成される防刃部材を備え、該防刃部材を、ランドセルにおける背板の上端部において伸縮自在の紐状部材で連結することにより、ランドセル着用時に該防刃部材を胴体前面側に旋回させて被着可能とした、
ことを特徴とする防刃ランドセル。
【請求項２】
上記防刃部材の内面側を、該防刃部材の胴体前面への被着時に周囲に救助を求める警報表示板とした、
ことを特徴とする請求項１に記載の防刃ランドセル。
【請求項３】
上記防刃部材をランドセルの被せ蓋に防刃板を内蔵させることにより構成し、該被せ蓋とランドセルにおける背板の上端部とを、それらを相互に連結する上記紐状部材の伸長を抑止するための可撓部片により着脱自在に連結し、上記ランドセルに、その収納部の上方開口部を覆う内蓋を設けた、
ことを特徴とする請求項１または２に記載の防刃ランドセル。
【請求項４】
上記防刃部材をランドセルの被せ蓋に着脱自在のカバー部材に防刃板を内蔵させることにより構成し、該カバー部材を上記被せ蓋に着脱自在とする止着手段を面ファスナーによって構成した、
ことを特徴とする請求項１または２に記載の防刃ランドセル。
【請求項５】
ランドセルに警報器を付設し、該警報器の発報手段と上記防刃部材とを連結部材で連結することにより、防刃部材の胴体前面への被着に応動して警報器が発報するようにした、
ことを特徴とする請求項１乃至４のいずれかに記載の防刃ランドセル。
【考案の詳細な説明】
【技術分野】
【０００１】
本考案は、通学時において学童が通り魔的な事件に巻き込まれたときに刃物等の凶器から身を守ることができ、しかも警報を発して身の危険を周囲に知らせることができる警報機能を備えた防刃ランドセルに関するものである。
【背景技術】
【０００２】
近年、通学時に学童を狙った通り魔的な事件が数多く発生しており、中には幼い命が犠牲になる痛ましい事件も少なくない。
而して、特に小学校に通学している学童は、体格も小柄で体力的に到底大人に太刀打ちできるものではなく、刃物等の凶器を使った通り魔的な事件に巻き込まれた場合に、その凶器から咄嗟に身を守るための何らかの手段が必要である。しかしながら、学童に重い防護服や防護のための装備を持たせることは、通学時に大きな負担になるばかりでなく、幼い学童に精神的に大きな負担を背負わせることになりかねず、必ずしも最善の策とは言えないものである。よって、普段から通学時に身につけている身近なものを利用して身を守ることができるようにするのが、学童に負担をかけないためにも好ましい。
また、学童が通り魔的な事件に巻き込まれた場合、突然の恐怖に声も出ず、周囲に助けを求めることができない場合も考えられ、咄嗟の場合でも容易に且つ確実に警報音やメッセージ等で警報を発して、周囲に救助を求めることができるような手段が必要とされている。
【考案の開示】
【考案が解決しようとする課題】
【０００３】
如上に鑑みて、本考案の技術的課題は、学童が普段から通学時に身につけているランドセルを利用して、突然刃物等の凶器を使った通り魔的な事件に巻き込まれた場合でも、確実に自分の身を守ることができる手段を提供することにある。
本考案の他の技術的課題は、通り魔的な事件に巻き込まれた場合に、容易に且つ確実に警報音やメッセージ等で警報を発して、周囲に救助を求めることができる手段を提供することにある。
【課題を解決するための手段】
【０００４】
上記課題を解決するため、本考案の防刃ランドセルは、ランドセルにおける収納部の上方開口部を開閉する被せ蓋またはそれに被着するカバーにより形成される防刃部材を備え、該防刃部材を、ランドセルにおける背板の上端部において伸縮自在の紐状部材で連結することにより、ランドセル着用時に該防刃部材を胴体前面側に旋回させて被着可能としたことを特徴とするものである。
【０００５】
本考案の好ましい実施形態においては、上記防刃部材の内面側を、該防刃部材の胴体前面への被着時に周囲に救助を求める警報表示板とするのが有効である。
また、本考案の他の好ましい実施形態においては、上記防刃部材をランドセルの被せ蓋に防刃板を内蔵させることにより構成し、該被せ蓋とランドセルにおける背板の上端部とを、それらを相互に連結する上記紐状部材の伸長を抑止するための可撓部片により着脱自在に連結し、上記ランドセルに、その収納部の上方開口部を覆う内蓋を設けたものとすることができ、あるいは、上記防刃部材をランドセルの被せ蓋に着脱自在のカバー部材に防刃板を内蔵させることにより構成し、該カバー部材を上記被せ蓋に着脱自在とする止着手段を面ファスナーによって構成したものとすることができる。
【０００６】
さらに、上記ランドセルに警報器を付設し、該警報器の発報手段と上記防刃部材とを連結部材で連結することにより、防刃部材の胴体前面への被着に応動して警報器が発報するように構成することができる。
【考案の効果】
【０００７】
以上に詳述した本考案の防刃ランドセルによれば、学童が普段から通学時に身につけているランドセルを利用し、ランドセルの被せ蓋またはそれに被着するカバーにより形成される防刃部材を、ランドセル着用時に胴体前面側に旋回させて被着可能としているので、突然刃物等の凶器を使った通り魔的な事件に巻き込まれた場合でも、確実に自分の身を守ることができる。
また、上記防刃部材の内面側を、該防刃部材の胴体前面への被着時に周囲に救助を求める警報表示板とし、あるいはランドセルに警報器を付設し、上記防刃部材の胴体前面への被着に応動して警報器が発報するように構成すれば、突然通り魔的な事件に巻き込まれた場合においても、容易に且つ確実に警報音やメッセージ等で警報を発して、周囲に救助を求めることができる。
【考案を実施するための最良の形態】
【０００８】
以下に、本考案にかかる防刃ランドセルを実施するための最良の形態を図面に基づいて詳細に説明するに、図１及び図２は本考案の第１実施例を示している。
この防刃ランドセル１は、主に小学校に通う学童が使用するもので、ランドセル自体の基本的な構成は従来より広く使用されているランドセルと同一としている。したがって、特に必要がなければ、本考案の要旨とする構成のみを説明することとし、その他の公知部分の構成の説明は省略する。
【０００９】
上記防刃ランドセル１は、図１に示すように、該ランドセル１における収納部２の上方開口部２ａを開閉する被せ蓋５を、学童が突然通り魔的な事件に巻き込まれたときに自分の身を守るための防刃部材としている。該防刃部材は、ランドセル１における被せ蓋５を形成する蓋用シート材６の内部に鉄板等の金属板あるいは硬質板からなる防刃板７を内蔵させることにより構成しており、該被せ蓋５を、ランドセル１における背板８の上端部の両側において伸縮自在の紐状部材９，９で連結することにより、ランドセル着用時に防刃部材を構成する被せ蓋５を胴体前面側に旋回させ、伸長した該紐状部材９，９間に頭部を挿通することで、図３に示すように、該防刃部材を胴体前面に被着することができるようにしている。
上記防刃部材の胴体前面側への旋回は、上記被せ蓋（防刃部材）５の先端両側に付設した操作紐１１，１１を上方に引張ることにより、容易に且つ迅速に行うことができるものである。これらの操作紐１１は、普段は蓋用シート材６の内部に収納されているが、咄嗟のときには該蓋用シート材６の内部から迅速に引き出され、上記防刃部材を滞りなく胴体前面に被着可能とすることが望まれる。
【００１０】
上記防刃部材と、ランドセル１における背板８の上端部に連結して被せ蓋５の一部を構成する連結シート６ａとは、上記紐状部材９，９と対応する部位で面ファスナー等の可撓部片１３で着脱自在に連結しており、それにより、通常のランドセルとしての使用時においては、それらを相互に連結する上記紐状部材９，９が伸長するのを抑止している。
また、ランドセル１における背板８の上端部に連設して、上記防刃部材の被着時にランドセル１の収納部２の上方開口部２ａを覆って、該収納部２に収納した学用品等が飛散するのを防止する内蓋１５を付設している。
【００１１】
上記防刃部材の内面側は、図１及び図３に示すような、該防刃部材の胴体前面への被着時に周囲に救助を求める警報表示板１７としている。この警報表示板１７には、「１１０番してください」や「警察に通報してください」など、周囲に警報を発して救助を求める適宜のメッセージを記載しておくことができる。
【００１２】
また、上記ランドセル１における収納部２の側面には、上記被せ蓋（防刃部材）５の胴体前面への被着に応動して発報する警報器１９が付設されている。該警報器１９は、該警報器１９に付設された発報手段を構成するピン１９ａを抜くことで警報音を発報するもので、該ピン１９ａと上記防刃部材とを連結部材２１で連結することにより、防刃部材の胴体前面への被着によって該警報器１９からピン１９ａが抜かれ、それにより該警報器１９が発報し、周囲に警報を発するように構成している。上記連結部材２１は、ワイヤーやチェーン等の切断しにくい材質のもので構成するのが好ましい。
この警報器１９をランドセル１に取り付ける場合には、ランドセル１における収納部２の上方開口部２ａの縁部にクリップなどで着脱自在に固定したり、あるいは収納部２の側面にネジ止め等で固定的に取り付けることができるが、他の固定方法によりランドセル１の任意の場所に固定することもできる。
なお、上記警報器１９としては公知の護身用の警報器を適用することができる。また、図中２０は、防刃部材を構成する被せ蓋５をランドセルの収納部２の下面に固定するための止め具を示している。
【００１３】
上記構成を有する防刃ランドセル１は、学童が突然通り魔的な事件に巻き込まれた場合に、蓋用シート材６の先端両側に付設した操作紐１１，１１を上方に引張って、図３に示すように、上記防刃部材を胴体前面側に旋回させることにより、容易に且つ迅速に該防刃部材を胴体前面に被着することができ、それにより胸部や腹部等を刃物等の凶器から守ることができる。
しかも、上記防刃部材の内面側を警報表示板１７として、該警報表示板１７に救助を求める適宜のメッセージを記載するようにしているので、学童が突然通り魔的な事件に巻き込まれて咄嗟に声を出すことができない場合でも、該防刃部材を胴体前面に被着することで周囲に救助を求めることができる。
また、上記防刃部材の胴体前面への被着に応動して、ランドセル１に付設した警報器１９のピン１９ａが抜かれ、該警報器１９が警報音を発報するので、容易に且つ確実に周囲に救助を求めることができる。
【００１４】
図４及び図５は、本考案の防刃ランドセルの第２実施例を示している。
この第２実施例の防刃ランドセル３１は、その収納部３２の上方開口部３２ａを開閉する被せ蓋３５に、カバー部材３６を着脱自在に設けて、該カバー部材３６に第１実施例と同様な防刀板３７を内蔵させることにより、防刃部材を構成している。そして、該カバー部材３６により構成される防刃部材の内面側は、該防刃部材の胴体前面への被着時に周囲に救助を求めるための警報表示板４７としている。
【００１５】
また、上記カバー部材（防刃部材）３６の内面側と被せ蓋３５との間には、該カバー部材３６を被せ蓋３５に着脱自在に止着するための止着手段を構成する面ファスナー５４ａ，５５ａの複数がそれぞれ対応位置に設けられている。上記カバー部材３６に付設した面ファスナー５４ａは、該カバー部材３６の内面側における警報表示板４７の上端及び下端に付設した布テープ５４ｂ上の左右両側に配され、一方、上記被せ蓋３５に付設した面ファスナー５５ａは、上記カバー部材３６の布テープ５４ｂに対応する位置に付設した布テープ５５ｂ上において、上記カバー部材３６における面ファスナー５４ａに対応する位置に配されている。このように構成することにより、通常のランドセルとしての使用時においては、上記カバー部材３６がランドセル３１の被せ蓋３５にしっかりと被着される。
なお、上記被せ蓋３５に面ファスナー５５ａを固定する布テープ５５ｂは、該被せ蓋３５に巻付けるなどの手段で着脱自在とすることができる。
【００１６】
上記カバー部材３６は、ランドセル３１における背板３８の上端部の両側において伸縮自在の紐状部材３９，３９で連結することにより、ランドセル着用時に、図３の場合と同様にして、該カバー部材３６を胴体前面側に旋回させ、伸長した該紐状部材３９，３９間に頭部を挿通することで、該カバー部材３６を胴体前面に被着することができるようにしている。
上記カバー部材３６の胴体前面側への旋回は、上記カバー部材３６の先端両側に付設した操作紐４１，４１を上方に引張ることにより、容易に且つ迅速に行うことができるものである。これらの操作紐４１は、普段はカバー部材３６Ｂの内部に収納されているが、咄嗟のときには該カバー部材３６Ｂの内部から迅速に引き出され、上記カバー部材３６を滞りなく胴体前面に被着可能にすることが望まれる。
【００１７】
なお、この第２実施例のその他の構成及び作用は、実質的に前記第１実施例と変わるところがないから、同一または相当部分に同一符号を付して、それらの説明を省略する。
【図面の簡単な説明】
【００１８】
【図１】本考案の第１実施例において、防刃部材を上方まで旋回させた状態を示す斜視図である。
【図２】同防刃部材を閉じた状態を示す斜視図である。
【図３】上記防刃部材を胴体の前面に被着した状態を示す使用状態の説明図である。
【図４】本考案の第２実施例において、防刃部材を上方まで旋回させた状態を示す斜視図である。
【図５】同防刃部材をランドセルに被着した状態を示す斜視図である。
【符号の説明】
【００１９】
１，３１    防刃ランドセル
２    収納部
２ａ  上方開口部
５，３５    被せ蓋
７，３７    防刀板
８，３８    背板
９，３９    紐状部材
１３    可撓部片
１５    内蓋
１７，４７    警報表示板
１９    警報器
２１    連結部材
３６    カバー部材
５４ａ，５５ａ    面ファスナー
【図１】
0003110735.tif 000003
【図２】
0003110735.tif 000004
【図３】
0003110735.tif 000005
【図４】
0003110735.tif 000006
【図５】
0003110735.tif 000007